(57)【特許請求の範囲】
【請求項１】
光源と、その光源からの光を拡散させるために前記光源を覆うように配置される照明カバーであって、光を通すための大きい開口を形成した枠体とその開口を塞ぐように張られ、平坦な照明面を形成する光拡散シートとを備えた照明カバーと、該照明カバーを取り付けるための固定フレームであって、前記光源を覆う所定位置に配置される照明カバーの背面側で且つ前記枠体にほぼ重なる位置に固定して設けられた固定フレームと、前記固定フレームに移動可能に保持されると共に前記照明カバーの枠体にほぼ直角に連結された複数の直線状のガイドと、前記照明カバーを前記固定フレームに近接した所定位置に固定し且つその固定を解除可能な係止手段を有し、
前記直線状のガイドは３本以上設けられており、前記枠体は、前記３本以上の直線状のガイドのうちの２本に対して旋回可能に保持されると共に他のガイドに対して着脱可能であることを特徴とする照明装置。
【請求項２】
前記枠体は、枢軸ピンを介して前記２本のガイドの下端に旋回可能に保持され、引き抜き可能なピンを介して前記他のガイドの下端に着脱可能に連結されており、前記引き抜き可能なピンを引き抜くことにより前記照明カバーを前記枢軸ピンを中心として旋回させることができる構成としたことを特徴とする請求項１記載の照明装置。
【請求項３】
前記照明カバーの枠体が、光源とは反対側に光拡散シートを張る為のスカート部を有しており、該スカート部の外周が、枠体の他の部分及び固定フレームを隠すことができる大きさに設定されていることを特徴とする請求項１又は２に記載の照明装置。
【請求項４】
前記枠体に形成しているスカート部の先端内周面に、スカート部で形成される開口が先端に近づくにつれて大きくなるように、テーパ面を形成していることを特徴とする請求項３記載の照明装置。
【請求項５】
前記枠体が、金属製の押抜型材を４辺に配置し、コーナー部を金属板及びねじによって連結することで組み立てられていることを特徴とする請求項１から４のいずれか１項記載の照明装置。
【請求項６】
前記照明カバーに取り付けている光拡散シートが、ガラス繊維基布に中空ガラスビーズを含む軟質フッ素樹脂を積層してなる事を特徴とする請求項１から５のいずれか１項に記載の照明装置。
【請求項７】
前記照明カバーが、複数個、互いに近接して且つ同一平面になるように配置されていることを特徴とする請求項１から６のいずれか１項記載の照明装置。
【発明の詳細な説明】
【０００１】
【発明の属する技術分野】
本発明は、天井や壁面等に設けられる照明装置に関し、特に、平面状に配置された複数の蛍光管等の光源からの光を拡散して広い平面から柔らかい照明光を生じさせることの可能な照明装置に関する。
【０００２】
【従来の技術】
従来より、ギャラリー等において、天井面に取り付けた多数の蛍光管を、蛍光管が視認されない柔らかい面照明にすることが望まれており、特に近年天井面の広範囲に渡り、全面一体型照明として機能できる照明装置が求められている。この要求に対し、従来の対応の一つとして、乳白色に濁ったアクリル成形板の照明カバーを配設した照明装置がある。また、別の対応として、矩形状に形成した金属製の枠体にガラスクロス等の透光性無機質繊維布を主体とする透光性の不燃シートを張って照明カバーとして用いた照明装置も提案されている。
【０００３】
【発明が解決しようとする課題】
しかしながら、天井の広範囲に渡る全面一体照明としての機能を得ることにおいて、上記従来のアクリル成形板の照明カバーを配設した照明装置の場合には、アクリル成形板が歪みを生じやすく、広範囲の一体面の形成が困難な上、アクリル板自体が可燃材であるため、法規制により広範囲に渡る該照明装置の配置が不可能であるという問題があった。一方、枠体に透光性の不燃シートを張って構成した照明カバーを用いた照明装置の場合には、金属製の枠体の剛性によって歪みの発生を抑制でき且つ全体を不燃構造に形成できるといった利点を有しているが、この照明カバーを広い天井面を覆うように多数配置するには、天井面に格子状の枠を取り付け、その枠に照明カバーを取り付ける構造となるため、照明カバーの間隔をあまり狭くすることができず、このため照明カバーの間に発光しない領域が存在することとなり、天井の広範囲に渡る全面一体照明を行おうとしても、各照明カバー間の領域が天井に格子状に黒い太い線となって現れてしまい、外観を悪くするという問題があった。更に、従来の照明カバーに使用されている透光性の不燃シートは、ガラスクロス等の透光性無機質繊維布単体、或いは、その透光性無機質繊維布に不燃透光性樹脂をコーティング若しくは積層したものであるが、この種の不燃シートでは蛍光管の隠蔽効果が十分でなく蛍光管がうっすらと見えてしまい、完全な全面一体型照明を構成できないといった問題もあった。
【０００４】
本発明はかかる問題点に鑑みてなされたもので、天井面等を面照明にした際に、光源を覆う複数の照明カバーの間に、光を照射しない黒い線を極力細くし、ほとんど気にならないようにすることの可能な照明装置を提供することを目的とする。また、蛍光管等の光源の視認を良好に防止して均一な面照明を可能とする照明カバーを備えた照明装置を提供することも目的とする
【０００５】
【課題を解決するための手段】
本発明は、光源からの光を拡散させるための照明カバーを所定位置に取り付けるために、照明カバーの背面側（光源側）に位置するように固定フレームを設け、その固定フレームにほぼ直角になるように複数のガイドを移動可能に保持させると共に、その複数のガイドの一端に前記照明カバーを、照明カバーが前記ガイドに対してほぼ直角となるように連結し、更に、前記照明カバーを前記固定フレームに近接した所定位置に固定し且つその固定を解除可能な係止手段を設けるという構成としたものである。本発明はこの構成により、係止手段の係合及び解除により照明カバーを固定フレームに近接した所定位置に固定したり外したりすることができ、その照明カバーを固定フレームに固定する位置に出し入れさせる際には、照明カバーに連結しているガイドが固定フレームで案内されるため、照明カバーは、常に一定の姿勢を保った状態で（例えば水平状態で）、直線状に安定して移動し、大型の照明カバーでも容易に移動させることができ、しかも、照明カバーは横方向には移動しないため照明カバーを多数並べて面照明を形成する際には隣接した照明カバー間に隙間をほとんど設ける必要がなく、照明カバー間に黒い線のほとんどない面照明を形成できる。更に、本発明は、照明カバーに連結するガイドを３本以上設け、そのうちの２本に対して照明カバーを旋回可能に保持させると共に他のガイドに対しては照明カバーを着脱可能とする構成としており、この構成により、照明カバーを所定位置から引き出した後、旋回させることができ、光源を大きく開くことができる。ここで、照明カバーに取り付ける光拡散シートとして、ガラス繊維基布に中空ガラスビーズを含む軟質フッ素樹脂を積層してなるシートを用いると、その光拡散シートで蛍光管等の光源の視認を良好に防止でき、このため、天井等に広範囲に渡って、蛍光管等の光源の視認を生じない且つ照明カバー間にも黒い線のほとんどない、全面一体型照明を形成できる。
【０００６】
【発明の実施の形態】
本発明の照明装置は、光源と、その光源からの光を拡散させるために前記光源を覆うように配置される照明カバーであって、光を通すための大きい開口を形成した枠体とその開口を塞ぐように張られ、平坦な照明面を形成する光拡散シートとを備えた照明カバーと、該照明カバーを取り付けるための固定フレームであって、前記光源を覆う所定位置に配置される照明カバーの背面側で且つ前記枠体にほぼ重なる位置に固定して設けられた固定フレームと、前記固定カバーに移動可能に保持されると共に前記照明カバーの枠体にほぼ直角に連結された複数の直線状のガイドと、前記照明カバーを前記固定フレームに近接した所定位置に固定し且つその固定を解除可能な係止手段を有する構成としたものである。このように、固定フレームに軸線方向に移動可能に保持された複数のガイドに照明カバーを連結した構成としたことにより、照明カバーを横方向には動かすことなく安定して出し入れすることができ、また、照明カバーを多数並べて面照明を形成する際には隣接した照明カバー間を小さくして、照明カバー間に黒い線のほとんどない面照明を形成できる。更に、固定フレームを、照明カバーの枠体にほぼ重なる位置に設ける構成としたことにより、光源から光拡散シートへの光を固定フレームが遮ることがなく、従って光拡散シートで形成される照明面に影を生じることがなく、また、固定フレームは照明カバーで隠されるため、照明装置の外観を悪くすることもない。
【０００７】
更に、本発明は、照明カバーに連結するガイドを３本以上設け、そのうちの２本に対して照明カバーを旋回可能に保持させると共に他のガイドに対しては照明カバーを着脱可能とする構成としている。この構成としたことで、照明カバーを所定位置から引き出した後、旋回させることができ、光源を大きく開くことができる。ここで、前記照明カバーを旋回可能に保持させる構造としては、前記枠体を、枢軸ピンを介して前記２本のガイドの下端に旋回可能に保持させ、引き抜き可能なピンを介して前記他のガイドの下端に着脱可能に連結する構造とすることが好ましい。この構造とすると、前記引き抜き可能なピンを引き抜くことにより前記照明カバーを前記枢軸ピンを中心として旋回させることができる。
【０００８】
前記照明カバーの枠体には、先端側に光拡散シートを張る為のスカート部を設け、その該スカート部の外周を、枠体の他の部分及び固定フレームを隠すことができる大きさに設定することが好ましい。この構成とすると、照明カバーが光源や固定フレームをすべて覆い隠すこととなり、外観がよくなる。
【０００９】
また、前記枠体に形成しているスカート部の先端内周面に、スカート部で形成される開口が先端に近づくにつれて大きくなるように、テーパ面を形成しておくことが好ましい。この構成とすると、照明カバーの全面のほとんどが光拡散シートを通して光を照射する面となり、その背後の枠体やフレームを確実に隠すことができ、外観がよくなる。
【００１０】
前記枠体は、金属の押抜型材を４辺に配置し、コーナー部を金属板及びねじによって連結することで組み立てられる構成とすることが好ましい。この構成とすると、枠体を正確な寸法に容易に製造することができると共に強度、剛性が大きく、使用中にねじれ等を生じることがない。
【００１１】
前記照明カバーに取り付けている光拡散シートとしては、ガラス繊維基布に中空ガラスビーズを含む軟質フッ素樹脂を積層してなるものを用いることが好ましい。この構成の光拡散シートは、光拡散性に優れていて光源の視認を生じさせないと共に、透光性にも優れており、光源を確実にかくして面全体が柔らかく光る照明面を形成でき、しかも不燃性を有しているので不燃構造に使用可能であり、寸法安定性に優れているので長期に渡って安定して使用できる。
【００１２】
本発明の照明装置は、前記照明カバーが、複数個、互いに近接して且つ同一平面になるように配置して用いることが好ましい。この構成とすると、各照明カバー間に黒い線がほとんど目立たない、広い面積の面照明を構成できる。
【００１３】
【実施例】
以下、図面に示す本発明の好適な実施例を説明する。
図１は本発明を天井の面照明に適用した実施例を示す概略斜視図であり、（ａ）、（ｂ）、（ｃ）は一つの照明カバーを開く手順を示している。図２は図１のＡ−Ａ矢視断面図、図３はその一部を拡大して示す概略断面図である。全体を参照符号１で示す照明装置は、天井面２に取り付けられた多数の蛍光管からなる光源３と、その光源３を覆うように配置される照明カバー４と、その照明カバー４の背面側（光源側）に位置し、その照明カバー４を取り付けるための固定フレーム５等を備えている。照明カバー４は天井面全体が面照明を行うことができるよう、多数が近接配置されている。
【００１４】
照明カバー４は、光を通すための大きい開口６を形成した枠体７と、その枠体７の先端側（光源とは反対側）に前記開口を塞ぐように張られ、平坦な照明面を形成する光拡散シート８を有している。枠体７は、図４に示すように、全体が四角形状をなしている。この枠体７の材質は、必要な強度を持っている限り、金属、プラスチック等任意であるが、本実施例では金属が用いられている。すなわち、本実施例の枠体７は、各辺を同一断面の金属製（例えば、アルミ）の押抜型材７Ａで形成し、これを四角形状に組み立てている。枠体７の外形寸法（各辺の長さ）は、特に制限するものではないが、１〜２ｍ程度とすることが好ましい。図５、図６からよく分かるように、枠体７は、その外面側に光拡散シート８をクランプするためのクランプ溝１１と、そのクランプ溝１１の下側の外方端から下方に延びるスカート部１３を有しており、そのスカート部１３の先端１３ａで光拡散シート８の位置を規制するようになっている。また、クランプ溝１１の底面には適当な間隔でネジ穴１５が形成されている。この構成により、光拡散シート８をスカート部１３の先端１３ａで囲まれた開口を塞ぐように張り、その端部をクランプ溝１１に導き、その上からクランプ用角パイプ１７を押し付けてネジ１８により固定することで、光拡散シート８を取り付けることができる（図３参照）。この際、光拡散シート８のスカート部１３の先端１３ａで囲まれた開口を塞いだ部分に適当な張力を与えておくことで、この部分の光拡散シート８は平面を保ち、きわめて外観のよい平坦な照明面を形成できる。
【００１５】
図３、図５において、スカート部１３の外側の面１３ｂは先端１３ａが形成する面（先端に張られた光拡散シート８が形成する照明面）に対して直角に形成されており、且つ枠体７の他の部分よりも、また、その上の固定フレーム５よりも外側に位置するように大きさが定められている。この構成により、照明カバー４を下から見た時にスカート部１３よりも外側に突出する部分が無く、従って、枠体７を光拡散シート８が覆い隠す状態となっており、外観がよくなる。また、照明カバー４を並べて配置する際には隣接するスカート部１３の間隔をきわめて小さくすることができ、やはり外観が良くなる。なお、スカート部１３の外面１３ｂは照明面に対して直角にする場合に限らず、傾斜させても良いが、その場合には、スカート部１３の先端側が拡がる方向に傾斜させることが、外観をよくする上から好ましい。
【００１６】
スカート部１３の先端内周面には、スカート部で形成される開口が先端に近づくにつれて大きくなるように、テーパ面１３ｃを形成している。このようなテーパ面１３ｃを形成すると、枠体７の先端に張られた光拡散シート８のうち、照明に寄与しない領域がスカート部１３の先端１３ａのきわめて狭い幅の領域に限られる。しかも、光源からの光が矢印Ｂで示すように斜め方向にも照射されているため、照明カバー４を下から見た時に、照明カバー４の全面が発光しているように見えるばかりでなく、図３に示すように、照明カバー４を近接して配置した時には、照明カバー４間が目立たなくなり、多数の照明カバー４を配した全体の面が発光しているように見えるといった利点が得られる。スカート部１３の先端１３ａの外側角部には光拡散シート８を損傷しないように小さい丸みを付けている。この丸みは、光拡散シート８を損傷しない限り極力小さくすることが、照明に寄与しない領域の幅を狭くすることができるので好ましい。具体的な数値例としては、スカート部１３の厚みを５ｍｍ程度に選定し、スカート部１３の先端１３ａの外側角部の丸みの半径を０．５〜２ｍｍ程度に、更に好ましくは１ｍｍ程度に選定し、先端１３ａの幅（テーパ面１３ｃの先端と外面１３ｂとの幅）を１．５〜３ｍｍ程度に、更に好ましくは２ｍｍ程度に選定する場合を挙げることができ、これらの数値を採用することで外観のきわめて良い照明カバー４を構成できる。
【００１７】
スカート部１３の長さは、枠体７の内方の角部２０の影が光拡散シート８に写らないように或る程度長くしている。例えば、枠体７に最も近い側の光源からの光のうち角部２０を通過する光が矢印Ｂで示すように照射されているとした場合に、その光が光拡散シート８に入射することがないようにスカート部１３の長さが定められる。スカート部１３は長いほど角部２０の影が写らなくなって好ましいが、あまり長くすると剛性が低下し、光拡散シート８の張力でたわみを生じる。これらを考慮してスカート部８の長さを定めればよい。
【００１８】
図５、図６から良く分かるように、枠体７にはクランプ溝１１の上下に、断面が略Ｃ型の連結用溝２２、２３が形成されている。四角形状の枠体７の各辺の押抜型材７Ａは、端面を４５度に切断して突き合わせ、連結用溝２２、２３にそれぞれ金属板からなる長方形状のジョイントプレート２５、２６を挿入し、外面側に金属板からなるＬ型のコーナープレート２８、２９を当て、ネジ３０により両者を固定することで、組み立てられている。このように、枠体７として、金属製の押抜型材を用い、コーナー部をジョイントプレート２５、２６及びコーナープレート２８、２９等の金属板とねじ３０によって連結する構成を採用することで、枠体７をねじれ等のない正確な寸法に製造、組立することができ、各辺が２ｍというような大型の枠体７をも容易に製造できる。しかも、強度、剛性が大きいため、長期間に渡って安定して使用できる。
【００１９】
枠体７に取り付ける光拡散シート８は、適度な透光性と隠蔽性を発揮しうる光拡散性のもので且つ枠体７に張って使用することができるよう適度な柔軟性、耐屈曲性を持ったものであれば任意であるが、なかでも、透光性の無機質繊維クロスに耐熱透光性樹脂シートを貼着してなる積層シートが、耐熱性、不燃性、防汚性にも優れているので好ましい。この種の積層シートにおいて、無機質繊維クロスとしては、ガラス繊維クロスが好ましく、耐熱透光性樹脂シートとしては、フッ素樹脂、シリコン樹脂等が考えられるが、フッ素樹脂が好ましく、中でも軟質フッ素樹脂が最も好ましい。軟質フッ素樹脂としては、例えば、少なくとも一種の含フッ素単量体を含む単量体と分子内に二重結合とペルオキシ結合を共に有する単量体とを共重合させて製造した、分子内にペルオキシ基を含有し、かつガラス転移温度が室温以下である含フッ素共重合体からなる幹ポリマーに、フッ化ビニリデンをグラフト重合させて得た軟質フッ素樹脂を挙げることができる。このような軟質フッ素樹脂は、「セフラルソフト」（商標）としてセントラル硝子株式会社から市販されている（「プラスチックス」１９８８年３月号参照）。
【００２０】
更に、光拡散シート８として、ガラス繊維クロスに軟質フッ素樹脂を積層したものを用いる場合、その軟質フッ素樹脂内に中空ガラスビーズを含有させておくことが好ましい。特に、軟質フッ素樹脂に、樹脂１００重量部当たり０．５〜５重量部の中空ガラスビーズ、好ましくは屈曲率１．５〜２．１、特に１．５２〜１．５３の、平均粒度８〜１２μｍ程度の中空ガラスビーズを含有させた場合に、遮蔽性と透光性のバランスの良い積層シートが得られる。すなわち、中空ガラスビーズの割合が０．５重量部より少ないと、光拡散性が低くなり、遮蔽性が低下する。一方、中空ガラスビーズの割合が５重量部より多いと、透光性が悪くなると共に、フィルムの成形が困難になる。このように、ガラス繊維基布に中空ガラスビーズを含む軟質フッ素樹脂を積層した積層シートは、柔軟性、耐屈曲性、防汚性、耐熱性、光拡散性、不燃性に優れ、且つ透光率４０％以上、濁度９０％以上が得られ、これを光拡散シート８として用いると、光源を良好に隠して均一に柔らかく光る照明面を形成できると共に、耐熱性、不燃性に優れ、長期間安定して使用できるという利点が得られる。
【００２１】
図１〜図３において、照明カバー４を取り付けるための固定フレーム５は、光源３からの光を遮蔽しないように、平面形状が照明カバー４の枠体７とほぼ等しい形状に、但し、外側の面は照明カバー４の枠体７のスカート部１３の外面よりは少し内側となるように、作られており、吊り下げボルト３３によって天井２に対して平行になるように固定されている。この固定フレーム５を構成する部材は特に限定されるものではないが、本実施例では鋼製の角パイプが用いられている。この固定フレーム５の向かい合った２辺には、それぞれ端部の近傍に受けガイド３４が固定フレーム５に対して直角に設けられており、直線状のガイド３６を軸線方向に移動可能に保持している。ここで使用するガイド３６は直線状の部材であれば任意であり、本実施例では金属の丸パイプが用いられている。各ガイド３６の下端は照明カバー４の枠体７の上面に連結金具３８、３９を介して連結されている。ここで、４本のガイド３６の照明カバー４に対する連結位置は、４本のガイド３６の下端に照明カバー４を連結した状態では、照明カバー４の枠体７が固定フレーム５にほぼ重なる位置で且つ照明カバー４がガイド３６に対して直角になるように（従って、照明カバー４が水平になるように）定められてる。この構成により、照明カバー４は水平状態を保った状態で上下に移動可能であり、その際、各ガイド受け３４が照明カバー４に連結されたガイド３６を案内するため、照明カバー４は一定位置を安定して上下動可能であり、１辺が２ｍもの大きい照明カバー４でも安定して上下動させることができる。なお、ガイド受け３４は単に摺動面によってガイド３６を案内する構成のものでもよいが、ボールを利用した直動玉軸受を用いても良く、このような直動玉軸受を用いると照明カバー４の上下動が一層スムーズとなる利点が得られる。各ガイド３６の上端には抜け止め用のストッパ４０が取り付けられている。
【００２２】
図２において左右に配置された連結金具３８、３９のうち、左側の連結金具３８（図３参照）は、枢軸ピン４１を介してガイド３６に連結され、他方の連結金具３９は引き抜き可能なピン４２を介してガイド３６に連結されており、ピン４２を引き抜いて連結金具３９とガイド３６の連結を解除することにより、照明カバー４を枢軸ピン４１を中心として旋回させることができる。なお、照明カバー４に連結するガイド３６の個数は、実施例に示した４本に限らず、３本或いは５本以上としてもよい。いずれの場合においても、２本のガイド３６の下端に、照明カバー４を旋回可能に連結し、他のガイド３６は照明カバー４に対して取り外し可能としておく。
【００２３】
照明カバー４と固定フレーム５には、照明カバー４を固定フレーム５に近接した所定位置に固定し且つその固定を解除可能な係止手段が設けられている。この係止手段として、本実施例では図３、図４、図７に示すように、照明カバー４の枠体７の上面にラッチ錠４５が設けられ、固定フレーム５にラッチ錠受け４７が設けられている。このラッチ錠４５は、ケース４５ａからバネ（図示せず）によって先端を水平方向に突出させるように設けられたロック金具４５ｂと、そのロック金具４５ｂを引き戻すための引き金具４５ｃ及びワイヤ４５ｄ等を備えており、ロック金具４５ｂの先端上面には円弧面４５ｅが形成されている。一方、ラッチ錠受け４７はＬ型の金属板で作られている。この構成により、図７（ａ）に示すように、ロック金具４５ｂの先端がラッチ錠受け４７の上に突出している状態では、ラッチ錠４５がラッチ錠受け４７に係合して照明カバー４を固定フレーム５に固定でき、図７（ｂ）に示すようにワイヤ４５ｄを適当な引っかけ具を利用して引っ張ってロック金具４５ｂを引っ込めることにより、照明カバー４を固定フレーム５から外すことができる。また、外した状態の照明カバー４を固定フレーム５に固定させるには単に照明カバー４を持ち上げれば、ロック金具４５ｂの先端上面の円弧面がラッチ錠受け４７に接触して後退し、ラッチ錠受け４７が通り過ぎた時点でロック金具４５ｂがバネ（図示せず）によって押し出され、図７（ａ）に示す状態となって、固定される。なお、係止手段としては、図示したラッチ錠４５に限らず、押し込み開閉式ロック（１回目の押し込みでロックし、次の押し込みでロックを解除する構成のもの）を使用してもよいが、実施例に示したラッチ錠４５及びラッチ錠受け４７は、係合が確実で、不用意に外れることがないので安全である等の利点を持っているので好ましい。
【００２４】
図２、図３において、固定フレーム５の取付位置は、それに固定した状態の照明カバー４の先端（下端）の光拡散シート８が、光源３から適当に離れ、光の均等な拡散と影防止を図ることができるように定めるものであり、具体的には光拡散シート８が光源である蛍光管から２００ｍｍ程度以上離れた位置となるように定めることが好ましい。照明カバー４に連結するガイド３６の長さは、図２に示すように、照明カバー４を固定フレーム５に固定する位置まで上昇させても、ガイド３６の上端が天井２や光源３に接触することがないように、また、照明カバー４をガイド３６上端のストッパ４０が固定フレーム５の上面に突き当たるまで下方に引き出した時には、、照明カバー４を枢軸ピン４１を中心として旋回させた時に、照明カバー４が隣接した位置の照明カバー４にぶつかることのない位置まで降下させることができるように、定めている。
【００２５】
更に、図３から良く分かるように、照明カバー４及び固定フレーム５は、隣接した照明カバー４のスカート部７とスカート部７が、両者間に、図７に示すラッチ錠４５のワイヤ４５ｄを引っかけるための引っかけ具を通すことができる程度の小さい隙間５０（例えば、２〜５ｍｍ程度の隙間）を残す程度に極力近接して取り付けられている。なお、前記したように、スカート部７は照明カバー４及び固定フレーム５で最も外側に位置しているので、このように隣接したスカート部７間の間隔５０を小さくすることは、問題なく実施できる。
【００２６】
上記構成の照明装置１では、図１（ａ）に示すように、多数の照明カバー４が近接して配置されており、光源からの光を照明カバー４の光拡散シートが拡散させることで照明カバー４の全面が柔らかく発光したような状態となり、広い面照明を形成している。ここで、各照明カバー３の間には隙間５０（図３参照）が存在しているが、この隙間５０はきわめて小さく、しかも、図３に矢印Ｂで示すような光が生じているので、この隙間５０が隠されてしまい、格子状の黒い線がほとんど目立たず、均一に発光した広い面照明となっている。
【００２７】
次に、光源の交換等のために照明カバー４を開くには、照明カバー４間の隙間５０から引っかけ具を差し込んで、図７（ｂ）に示すように、ラッチ錠４５のワイヤ４５ｄを引っぱって、ロック金具４５ｂを引っ込め、ラッチ錠受け４７との係合を外す。これにより、照明カバー４が固定フレーム５から外されて移動自在となるので、図１（ｂ）に示すように、下方に引き出す。この時、照明カバー４に連結している４本のガイド３６がガイド受け３４（図３参照）で案内されているため、照明カバー４は水平状態を保って安定して引き出される。ガイド３６上端のストッパ４０が固定フレーム５に接触する位置まで照明カバー４を下降させた後、図２において右側に位置するガイド３６を照明カバー４から外し、図１（ｃ）にも示すように、枢軸ピン４１を中心として照明カバー４を旋回させる。これにより、光源３の下方を大きく開いて、蛍光管交換等の作業を行うことができる。
【００２８】
開いた状態の照明カバー４を元の位置に戻すには、まず、照明カバー４を水平状態に旋回させ、ガイド３６の下端に連結し、その後、照明カバー４を押し上げる。この時にも照明カバー４に連結された４本のガイド３６が固定フレーム５のガイド受け３４で案内されるため、照明カバー４は水平状態を保って垂直に安定して移動する。そして、照明カバー４を上限位置まで押し上げると、図７に示すラッチ錠４５のロック金具４５ｂがラッチ錠受け４７に接触して引っ込めれ、ラッチ錠受け４７が通り過ぎた時点でばね（図示せず）によって押し出され、図７（ａ）に示すように係合した状態となる。これにより、照明カバー４は固定フレーム５に固定される。このように、単に照明カバー４を押し上げるのみで、自動的にラッチ錠４５をラッチ錠受け４７に係合させ、照明カバー４を所定位置にセットできる。
【００２９】
なお、上記実施例では、照明カバー４を多数配列して広い面照明を構成する場合を説明したが、本発明の照明装置はこの場合に限らず、１個の照明カバーのみを用いる場合にも適用可能である。１個の照明カバーを用いる場合にも、その照明カバーを、周囲の壁面に対してきわめて近接させて配置することができ、外観の良い照明面を形成できる。
【００３０】
【発明の効果】
以上に説明したように本発明の照明装置は、光源からの光を拡散させるための照明カバーを、背面側に設けている固定フレームに軸線方向に移動可能に設けた複数のガイドの一端に連結するという構成としたことにより、照明カバーを一定の姿勢を保った状態で直線状に安定して移動させることができ、大型の照明カバーでも容易に開閉することができ、しかも、照明カバーを多数並べて面照明を形成する際には隣接した照明カバー間に隙間をほとんど設ける必要がなく、照明カバー間に黒い線のほとんどない面照明を形成できるという効果を有している。
【００３１】
ここで、照明カバーに連結するガイドを３本以上設け、そのうちの２本に対して照明カバーを旋回可能に保持させると共に他のガイドに対しては照明カバーを着脱可能とすると、照明カバーを所定位置から引き出した後、旋回させることができ、光源を大きく開くことができるという効果が得られる。
【００３２】
また、照明カバーの枠体に、先端側に光拡散シートを張る為のスカート部を設け、その該スカート部の外周を、枠体の他の部分及び固定フレームを隠すことができる大きさに設定すると、照明カバーが光源や固定フレームをすべて覆い隠すこととなり、外観がよくなるという効果が得られる。
【００３３】
また、前記枠体に形成しているスカート部の先端内周面に、スカート部で形成される開口が先端に近づくにつれて大きくなるように、テーパ面を形成しておくと、照明カバーの全面のほとんどが光拡散シートを通して光を照射する面となり、その背後の枠体やフレームを確実に隠すことができ、外観がよくなるという効果が得られる。
【００３４】
また、前記枠体を、金属の押抜型材を４辺に配置し、コーナー部を金属板及びねじによって連結することで組み立てられる構成とすると、枠体を正確な寸法に容易に製造することができると共に強度、剛性が大きく、使用中にねじれ等を生じることがないといった効果が得られる。
【００３５】
前記照明カバーに取り付けている光拡散シートとして、ガラス繊維基布に中空ガラスビーズを含む軟質フッ素樹脂を積層してなるものを用いると、光拡散性に優れていて光源の視認を生じさせなくすると共に、透光性にも優れており、しかも不燃性を有しているので不燃構造に使用可能であり、寸法安定性に優れているので長期に渡って安定して使用できるという効果が得られる。
【００３６】
前記照明カバーを、複数個、互いに近接して且つ同一平面になるように配置して用いると、各照明カバー間に黒い線がほとんど目立たない、広い面積の面照明を構成できるという効果が得られる。特に、光拡散シートとして、ガラス繊維基布に中空ガラスビーズを含む軟質フッ素樹脂を積層してなるものを用いた場合には、蛍光管等の光源の視認を確実に生じさせなくすることができるので、広い面積に渡ってきわめて均一に且つ柔らかく発光する全面一体型照明を形成できるという効果が得られる。
【図面の簡単な説明】
【図１】（ａ）、（ｂ）、（ｃ）は本発明を天井の面照明に適用した実施例において照明カバーを開く手順を示す概略斜視図
【図２】図１のＡ−Ａ矢視断面図
【図３】図２に示す部分の一部を拡大して示す概略断面図
【図４】照明カバーの概略平面図
【図５】図４のＣ−Ｃ矢視断面図
【図６】照明カバーの枠体のコーナー部を分解して示す概略斜視図
【図７】（ａ）、（ｂ）はラッチ錠及びラッチ錠受けの係合及び解除を説明する概略斜視図
【符号の説明】
１  照明装置
２  天井
３  光源
４  照明カバー
５  固定フレーム
６  開口
７  枠体
８  光拡散シート
１３  スカート部
３４  ガイド受け
３６  ガイド
３８、３９  連結金具
４０  ストッパ
４１  枢軸ピン
４５  ラッチ錠
４７  ラッチ錠受け
【図１】
0004143875.tif 000002
【図２】
0004143875.tif 000003
【図３】
0004143875.tif 000004
【図４】
0004143875.tif 000005
【図５】
0004143875.tif 000006
【図６】
0004143875.tif 000007
【図７】
0004143875.tif 000008